(57)【要約】【課題】操作者の負荷を軽減しつつ、柔軟に運用設定を行うこと。【解決手段】釣銭機３０は、ダミー貨幣のコードと、残置金額の設定値とを対応付けて動作設定データとして記憶する。釣銭機３０にコード「Ｄ００２」のダミー紙幣を投入すると（Ｓ１）、釣銭機３０はダミー紙幣を識別し（Ｓ２）、収納部に収納することなくダミー紙幣を返却する（Ｓ３）。そして、ダミー紙幣の識別結果として得られたコードに対応する動作を実行する（Ｓ４）。【選択図】図１
2019056947.tif 000002
【特許請求の範囲】
【請求項１】
有価媒体を取り込む有価媒体取込部と、
前記有価媒体取込部により所定の疑似有価媒体が取り込まれたことを条件として、該疑似有価媒体に対応付けられた装置の運用に関する特定の動作を実行するよう制御する制御部と
を備えたことを特徴とする有価媒体処理機。
【請求項２】
前記疑似有価媒体に記憶された運用に関する特定の動作内容に係る情報を読み取る読取部をさらに備え、
前記制御部は、前記読取部により読み取られた特定の動作内容に係る情報に対応する動作を実行するよう制御する
ことを特徴とする請求項１に記載の有価媒体処理機。
【請求項３】
特定の動作内容に関する情報を記憶する記憶部と、
前記疑似有価媒体の種別を判別する判別部と
をさらに備え、
前記制御部は、
前記判別部により判別された判別結果に基づいて、前記記憶部に記憶された特定の動作内容に係る情報に対応する動作を実行するよう制御する
ことを特徴とする請求項１に記載の有価媒体処理機。
【請求項４】
前記判別部は、
前記疑似有価媒体の大きさ及び／又は形状に基づいて種別を判別することを特徴とする請求項３に記載の有価媒体処理機。
【請求項５】
前記制御部は、
前記判別部により判別された疑似有価媒体を装置外部に排出するよう制御することを特徴とする請求項３又は４に記載の有価媒体処理機。
【請求項６】
前記特定の動作は、装置の設定の変更であることを特徴とする請求項１乃至５のいずれか一つに記載の有価媒体処理機。
【請求項７】
前記特定の動作は、装置を操作する操作者の権限に応じてあらかじめ定められた動作であることを特徴とする請求項１乃至５のいずれか一つに記載の有価媒体処理機。
【請求項８】
金銭登録機と、有価媒体の処理を行う有価媒体処理機とを通信可能に接続した有価媒体処理システムであって、
前記有価媒体処理機は、
有価媒体を取り込む有価媒体取込部と、
前記有価媒体取込部により所定の疑似有価媒体が取り込まれたことを条件として、該疑似有価媒体に対応付けられた運用に関する特定の動作を前記金銭登録機に実行するよう通知する通知部と
を備えたことを特徴とする有価媒体処理システム。
【請求項９】
所定の疑似有価媒体に対して、有価媒体処理機の運用に関する特定の動作内容に係る情報を格納する格納ステップと、
所定の有価媒体取込部から有価媒体を取り込む取込ステップと、
前記疑似有価媒体に記憶された有価媒体処理機の運用に関する特定の動作内容に係る情報を読み取る読取ステップと、
前記読取ステップで読み取られた有価媒体処理機の運用に関する特定の動作内容に係る情報に対応する動作を実行するよう制御する制御ステップと
を含んだことを特徴とする有価媒体処理方法。
【発明の詳細な説明】
【技術分野】
【０００１】
本発明は、操作者の負荷を軽減しつつ、柔軟に運用設定を行うことができる有価媒体処理機、有価媒体処理システム及び有価媒体処理方法に関する。
【背景技術】
【０００２】
従来、コンビニエンスストアやスーパーマーケット等の各種店舗には、販売時点管理機能を有する金銭登録機（以下、「ＰＯＳレジ」と言う）と、該ＰＯＳレジと通信可能に接続された貨幣処理装置（以下、「釣銭機」と言う）とが配設されることが多い。例えば、店員がＰＯＳレジのバーコードリーダにより商品に付されたバーコードを読み取って商品の価格を特定するとともに、店員が顧客から受け取った貨幣を釣銭機に投入すると、該釣銭機から釣銭が出金される。
【０００３】
かかる釣銭機の運用設定を行う場合には、管理者の管理鍵を用いて待機画面から運用設定画面に移行した後、各種の設定項目を選択して、運用設定を行う必要がある。
【先行技術文献】
【特許文献】
【０００４】
【特許文献１】特開平２−２６７６９０号公報
【特許文献２】特開２０１１−１１３１５８号公報
【発明の概要】
【発明が解決しようとする課題】
【０００５】
しかしながら、上記の従来技術によれば、運用設定画面に移行する場合に管理鍵が必要となるため、運用設定を行う権限が限定されてしまい、柔軟に運用設定を行うことができない。加えて、運用設定画面に移行した場合に、操作者が、複数の設定項目の各々をボタン操作で変更しなければならないため、操作者の負荷が大きくなるという問題もある。
【０００６】
このため、釣銭機等の各種の貨幣処理装置の運用設定を行う場合に、いかにして操作者の負荷を軽減しつつ柔軟に運用設定を行えるようにするかが重要な課題となっている。かかる課題は、商品券等を取り扱う場合にも同様に生ずる課題である。
【０００７】
なお、特許文献１には、疑似貨幣を用いて自動販売機の価格設定モードに移行させる点が記載されているが、複数の設定項目の設定を行うものではなく、操作者の負荷を軽減させるものでもない。また、特許文献２には、１枚の模擬紙幣を複数種類の通貨単位を表す券として用いて紙幣処理装置の動作テストを行う点が記載されているが、あくまでも製造検査時又は保守点検時に行うテストを対象としたものにすぎない。
【０００８】
本発明は、上記従来技術の課題を解決するためになされたものであって、操作者の負荷を軽減しつつ、柔軟に運用設定を行うことができる有価媒体処理機、有価媒体処理システム及び有価媒体処理方法を提供することを目的とする。
【課題を解決するための手段】
【０００９】
上述した課題を解決し、目的を達成するため、本発明は、有価媒体を取り込む有価媒体取込部と、前記有価媒体取込部により所定の疑似有価媒体が取り込まれたことを条件として、該疑似有価媒体に対応付けられた装置の運用に関する特定の動作を実行するよう制御する制御部とを備えたことを特徴とする。
【００１０】
また、本発明は、上記発明において、前記疑似有価媒体に記憶された運用に関する特定の動作内容に係る情報を読み取る読取部をさらに備え、前記制御部は、前記読取部により読み取られた特定の動作内容に係る情報に対応する動作を実行するよう制御することを特徴とする。
【００１１】
また、本発明は、上記発明において、特定の動作内容に関する情報を記憶する記憶部と、前記疑似有価媒体の種別を判別する判別部とをさらに備え、前記制御部は、前記判別部により判別された判別結果に基づいて、前記記憶部に記憶された特定の動作内容に係る情報に対応する動作を実行するよう制御することを特徴とする。
【００１２】
また、本発明は、上記発明において、前記判別部は、前記疑似有価媒体の大きさ及び／又は形状に基づいて種別を判別することを特徴とする。
【００１３】
また、本発明は、上記発明において、前記制御部は、前記判別部により判別された疑似有価媒体を装置外部に排出するよう制御することを特徴とする。
【００１４】
また、本発明は、上記発明において、前記特定の動作は、装置の設定の変更であることを特徴とする。
【００１５】
また、本発明は、上記発明において、前記特定の動作は、装置を操作する操作者の権限に応じてあらかじめ定められた動作であることを特徴とする。
【００１６】
また、本発明は、金銭登録機と、有価媒体の処理を行う有価媒体処理機とを通信可能に接続した有価媒体処理システムであって、前記有価媒体処理機は、有価媒体を取り込む有価媒体取込部と、前記有価媒体取込部により所定の疑似有価媒体が取り込まれたことを条件として、該疑似有価媒体に対応付けられた運用に関する特定の動作を前記金銭登録機に実行するよう通知する通知部とを備えたことを特徴とする。
【００１７】
また、本発明は、所定の疑似有価媒体に対して、有価媒体処理機の運用に関する特定の動作内容に係る情報を格納する格納ステップと、所定の有価媒体取込部から有価媒体を取り込む取込ステップと、前記疑似有価媒体に記憶された有価媒体処理機の運用に関する特定の動作内容に係る情報を読み取る読取ステップと、前記読取ステップで読み取られた有価媒体処理機の運用に関する特定の動作内容に係る情報に対応する動作を実行するよう制御する制御ステップとを含んだことを特徴とする。
【発明の効果】
【００１８】
本発明によれば、操作者の負荷を軽減しつつ、柔軟に運用設定を行うことができる。
【図面の簡単な説明】
【００１９】
【図１】図１は、本実施例に係る有価媒体処理システムの概念を説明するための説明図である。
【図２】図２は、ＰＯＳレジ及び釣銭機の外観構成を示す外観構成図である。
【図３】図３は、ＰＯＳレジ及び釣銭機の機能構成を示す機能ブロック図である。
【図４】図４は、紙幣処理ユニットの構成を示す構成図である。
【図５】図５は、硬貨処理ユニットの構成を示す構成図である。
【図６】図６は、図３に示した動作設定データの具体例を示す図である。
【図７】図７は、釣銭機がダミー貨幣に係る処理を行う場合の処理手順を示すフローチャートである。
【図８】図８は、表示操作部に表示制御する操作画面の具体例である。
【図９】図９は、画像認識によるコードの表示例を示す図である。
【図１０】図１０は、ダミー貨幣自体が動作設定データを保持する構成についての説明図である。
【図１１】図１１は、動作設定データをＰＯＳレジが保持する構成についての説明図である。
【図１２】図１２は、釣銭機と接続された店舗サーバが動作設定データを保持する構成についての説明図である。
【図１３】図１３は、ＰＯＳレジと所定のネットワークを介して接続される管理センタが動作設定データを保持する構成についての説明図である。
【発明を実施するための形態】
【実施例】
【００２０】
以下、添付図面を参照して、本実施例に係る有価媒体処理機、有価媒体処理システム及び有価媒体処理方法の実施例を説明する。本実施例では、コンビニエンスストアやスーパーマーケット等の店内に配設された有価媒体処理システムに本発明を適用した場合を示すこととする。
【００２１】
＜本発明に係る有価媒体処理システムの概念＞
図１は、本実施例に係る有価媒体処理システムの概念を説明するための説明図である。コンビニエンスストアやスーパーマーケット等の店舗内には、販売時点管理機能を有する金銭登録機であるＰＯＳレジ２０と、ＰＯＳレジ２０に接続され、顧客から店員が受け取った現金に応じた釣銭を出金すると共に受け取った現金を収納する釣銭機３０とが設置されている。
【００２２】
ＰＯＳレジ２０は、顧客による商品の購入に伴って、取引処理を実行する。具体的には、まず、ＰＯＳレジ２０は、顧客が購入する商品データの入力を受け付けて、商品の価格の合計である購入金額を算定する。また、釣銭機３０は、顧客から店員が受け取った貨幣の投入を受け付け、その合計金額を投入貨幣金額としてＰＯＳレジ２０に通知する。ＰＯＳレジ２０は、投入貨幣金額が購入金額を超える場合には、釣銭機３０に釣銭の払い出しを行わせる。
【００２３】
ここで、釣銭機３０は、運用に関する各種の設定項目を有する。この設定項目には、例えば、残置金額、ニアフル、ニアエンプティ、などが含まれる。残置金額は、店舗の営業終了時に翌営業日の釣銭として釣銭機３０に残しておくべき金額を示す。ニアフルは、貨幣の収納枚数が何枚になった場合に収納の上限に近づいた旨の報知を行うかを規定する設定である。ニアエンプティは、貨幣の収納枚数が何枚になった場合に釣銭の不足が発生する可能性がある旨の報知を行うかを規定する設定である。また、これらの設定項目に加え、操作性に関する設定、例えば表示における文字サイズや画面の明るさなどの設定を行うこともできる。
【００２４】
釣銭機３０の運用設定を行う場合に、待機画面からメニューを辿って所望の運用設定画面に移行し、各種の設定項目を選択し、設定内容を示す値を入力することとすると、運用設定を終了するまでに多くの操作を行う必要があり、操作者の負担が大きく、時間もかかってしまう。また、運用設定には権限の管理が必要であるが、運用設定画面に移行する場合に管理鍵を用いることとすると、運用設定を行う権限が限定されてしまい、柔軟に運用設定を行うことができない。
【００２５】
そこで、釣銭機３０は、各種動作をダミー貨幣のコードに対応付けて記憶し、投入されたダミー貨幣に応じた動作を実行する構成としている。図１では、釣銭機３０は、ダミー貨幣のコードと、残置金額の設定値とを対応付けて動作設定データとして記憶している。具体的には、ダミー貨幣のコード「Ｄ００１」に残置金額「３００００」を対応付け、ダミー貨幣のコード「Ｄ００２」に残置金額「５００００」を対応付けている。
【００２６】
図１に示すように、釣銭機３０にコード「Ｄ００２」のダミー貨幣を投入すると（Ｓ１）、釣銭機３０はダミー貨幣を識別し（Ｓ２）、収納部に収納することなくダミー貨幣を返却する（Ｓ３）。そして、ダミー貨幣の識別結果として得られたコードに対応する動作を実行する（Ｓ４）。
【００２７】
図１では、コード「Ｄ００２」が識別結果として得られているため、釣銭機３０は、残置金額の設定値を「１００００」から「５００００」に変更する動作を実行することになる。
【００２８】
このように、ダミー貨幣を取り込んだことを条件として、ダミー貨幣に対応付けられた装置の運用に関する特定の動作を実行するよう制御することで、操作者の負荷を軽減しつつ、柔軟に運用設定を行うことができる。
【００２９】
＜ＰＯＳレジ２０及び釣銭機３０の構成＞
次に、ＰＯＳレジ２０及び釣銭機３０の構成について説明する。図２は、ＰＯＳレジ２０及び釣銭機３０の外観構成を示す外観構成図である。図２に示すように、ＰＯＳレジ２０は、操作者用の表示部２１ａ、顧客用の表示部２１ｂ、操作キー等の操作部２１ｃ及びバーコードリーダ２２を有する。
【００３０】
釣銭機３０は、紙幣処理ユニット４０と、紙幣処理ユニット４０の隣に並ぶよう配置された硬貨処理ユニット５０とを備えており、紙幣処理ユニット４０及び硬貨処理ユニット５０の上方にＰＯＳレジ２０を載置することができる。
【００３１】
紙幣処理ユニット４０は、紙幣の入出金処理を行うユニットであり、紙幣挿入口４１ａ及び紙幣払出口４２ａを有する。また、紙幣処理ユニット４０は、後述する出金リジェクト部４３及びカセット装着部４４を有する。
【００３２】
硬貨処理ユニット５０は、硬貨の入出金処理を行うユニットであり、硬貨投入口５１及び硬貨払出口５５を有する。さらに、硬貨処理ユニット５０は、釣銭機３０の表示操作部５６が設けられている。
【００３３】
図３は、ＰＯＳレジ２０及び釣銭機３０の機能構成を示す機能ブロック図である。図３に示すように、ＰＯＳレジ２０は、表示操作部２１、バーコードリーダ２２、カードリーダ２３、印字部２４、通信部２５及びＰＯＳ制御部２６を有する。
【００３４】
表示操作部２１は、表示部２１ａ、表示部２１ｂ及び操作部２１ｃによって操作者や顧客に対する情報出力と、操作者からの入力受付とを行う。バーコードリーダ２２は、商品に付されたバーコードを読み取ることで商品の名称や価格等の情報を取得することができる。カードリーダ２３は、クレジットカード、デビットカード、プリペイドカード等のペイメントカードによる精算時に用いられる。
【００３５】
印字部２４は、取引内容を印字したレシートの発行に用いられる。レシートに印字される取引内容は、例えば日時、登録された商品の名称、価格、投入された貨幣の金額、釣銭の金額などである。通信部２５は、釣銭機３０や外部のサーバとの通信を行う通信インタフェースである。
【００３６】
ＰＯＳ制御部２６は、ＰＯＳレジ２０を全体制御する制御部であり、購入商品登録部２６ａ、購入金額算定部２６ｂ及び決済処理部２６ｃを有する。購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示部２１ａなどに表示する。
【００３７】
購入金額算定部２６ｂは、購入商品登録部２６ａにより登録された全ての商品の価格を合計することで購入金額を算定し、表示部２１ａなどに表示する処理を行う。
【００３８】
決済処理部２６ｃは、購入金額算定部２６ｂにより算定された購入金額の決済を行って取引を完了し、レシートの発行を行う処理部である。購入金額の決済は、ペイメントカードにより行ってもよいし、現金により行ってもよい。
【００３９】
具体的には、決済処理部２６ｃは、ペイメントカードによる決済が選択された場合には、カードリーダ２３に挿入されたペイメントカードからカードＩＤ等の情報を取得し、購入金額とともに外部のサーバに送信することで決済を行う。
【００４０】
また、決済処理部２６ｃは、現金による決済が選択された場合には、釣銭機３０に購入金額を送信し、釣銭機３０から精算完了通知を受信した場合に決済を完了する。
【００４１】
釣銭機３０は、紙幣処理ユニット４０及び硬貨処理ユニット５０で構成されている。紙幣処理ユニット４０は、紙幣を金種別に収納するユニットであり、硬貨処理ユニット５０は硬貨を金種別に収納するユニットである。
【００４２】
紙幣処理ユニット４０は、通信部４９ａ、紙幣受入部４１、周回搬送部４５、紙幣識別部４６、紙幣収納部４７、出金リジェクト部４３、紙幣払出部４２、カセット装着部４４、紙幣記憶部４８及び紙幣釣銭制御部４９を備えている。通信部４９ａは、通信線を通して硬貨処理ユニット５０とのデータ通信を行うためのインタフェース部である。紙幣処理ユニット４０はＰＯＳレジ２０と直接通信線で接続されていないが、硬貨処理ユニット５０を経由することによってＰＯＳレジ２０と通信することができるよう構成されている。
【００４３】
紙幣記憶部４８は、フラッシュメモリ等の不揮発性メモリ又はハードディスク装置等の二次記憶媒体等からなる記憶デバイスであり、紙幣在高データ４８ａ、動作設定データ４８ｂを記憶する。紙幣在高データ４８ａは、紙幣処理ユニット４０に収納されている紙幣の金種別の在高を示すデータである。動作設定データ４８ｂは、ダミー貨幣のコードと、各種動作とを対応付けたデータである。
【００４４】
紙幣釣銭制御部４９は、紙幣処理ユニット４０を制御する制御部であり、入金処理部４９ｂ、出金処理部４９ｃ、ダミー貨幣処理部４９ｄ及び動作制御部４９ｅを有する。
【００４５】
入金処理部４９ｂは、紙幣の入金処理を行う処理部である。入金処理部４９ｂは、精算装置１０から購入金額を受信した場合に、紙幣処理ユニット４０に対する紙幣の挿入を許可する。
【００４６】
その後、入金処理部４９ｂは、紙幣処理ユニット４０から挿入された紙幣の金種別の枚数を取得し、挿入された紙幣の合計金額を算定し、硬貨処理ユニット５０の通信部を介してＰＯＳレジ２０に通知を送信する。
【００４７】
出金処理部４９ｃは、紙幣の出金処理を行う処理部である。具体的には、出金処理部４９ｃは、硬貨処理ユニット５０の通信部５９ａを介してＰＯＳレジ２０から釣銭の出金指示を受けた場合に、釣銭の金額に応じて払い出すべき金種と枚数を決定し、紙幣の出金処理を行う。そして、釣銭の出金が正常に終了した場合には、硬貨処理ユニット５０の通信部５９ａを介してＰＯＳレジ２０に通知する。
【００４８】
ダミー貨幣処理部４９ｄは、紙幣のダミー貨幣、すなわちダミー紙幣に係る処理を行う処理部である。紙幣処理ユニット４０は、紙幣識別部４６を有しており、挿入された紙幣の金種、真偽、正損、表裏、搬送状態等を識別可能であり、さらにダミー紙幣の識別が可能である。そして、ダミー紙幣については、コードの判別に使用可能なデータが識別結果として出力される。
【００４９】
コードの判別に使用可能なデータとしては、例えばダミー紙幣を撮像した画像データを用いることができる。画像データを用いる場合には、ダミー貨幣処理部４９ｄは、画像処理によってダミー紙幣のコードを判別することになる。また、ダミー紙幣を透過した光量やダミー貨幣で反射した光量をフォトセンサにより計測し、その出力をコードの判別に使用することも可能である。また、ダミー紙幣にタグを内蔵させ、タグからコードを読み出す構成としてもよい。
【００５０】
ダミー貨幣処理部４９ｄは、ダミー紙幣が投入された場合には、投入されたダミー紙幣を返却させるとともに、紙幣識別部４６による識別結果を用いてコードを判別し、判別したコードに対応する動作を動作設定データ４８ｂから読み出す。
【００５１】
動作制御部４９ｅは、ダミー貨幣処理部４９ｄにより読み出された動作を実行する処理部である。この動作としては、設定変更や所定の操作画面への遷移などを用いることができる。
【００５２】
例えば、読み出された動作が紙幣処理ユニット４０の設定変更である場合には、動作制御部４９ｅは、紙幣処理ユニット４０の設定を変更する動作を実行する。具体的には、残置金額の設定変更、ニアフルの設定変更、ニアエンプティの設定変更などを行うことができる。このように、ダミー紙幣を用いて設定変更を行えば、操作者は、例えば残置金額の値の入力等の操作を行うことなく、予め指定された値で簡易に設定変更を行うことができ、操作ミスなどにより不適切な設定が行われる自体を防止できる。また、設定を終了するまでに多くの操作を行う必要もなくなるため、迅速に設定変更を行うことが出来る。
【００５３】
なお、ニアフルの設定とは、貨幣の収納枚数が何枚になった場合に収納の上限に近づいた旨の報知を行うかを規定する設定である。また、ニアエンプティの設定とは、貨幣の収納枚数が何枚になった場合に釣銭の不足が発生する可能性がある旨の報知を行うかを規定する設定である。ダミー紙幣を用いた設定変更は、紙幣処理ユニット４０に限らず、硬貨処理ユニット５０に対しても行うことができ、さらに釣銭機３０全体の設定変更も可能である。
【００５４】
また、読み出された動作が所定の操作画面への遷移であれば、動作制御部４９ｅは、表示操作部５６に指定された操作画面を表示制御する。このように、ダミー紙幣を用いて操作画面の遷移を行えば、操作者は、メイン画面からメニューを辿るなどの煩雑な操作を行うことなく、所望の操作画面に至ることができる。また、必要な権限が設定された操作に対応する操作画面であっても、ダミー紙幣を用いた場合には表示制御を行うこととすれば、ダミー紙幣は操作の権限を示す鍵として機能する。ダミー紙幣に対応する動作は柔軟かつ詳細に設定でき、また、ダミー紙幣の貸与自体を管理することで一時的に付与すべき権限の管理が可能となるため、権限の管理の効率化が実現される。
【００５５】
硬貨処理ユニット５０は、通信部５９ａ、硬貨投入口５１、入金硬貨搬送部５２、硬貨識別部５２ａ、硬貨収納部５３、出金硬貨搬送部５４、硬貨払出口５５、表示操作部５６、硬貨記憶部５８及び硬貨釣銭制御部５９を備えている。通信部５９ａは、通信線を通してＰＯＳレジ２０及び紙幣処理ユニット４０とのデータ通信を行うためのインタフェース部である。
【００５６】
硬貨記憶部５８は、フラッシュメモリ等の不揮発性メモリ又はハードディスク装置等の二次記憶媒体等からなる記憶デバイスであり、硬貨在高データ５８ａ、動作設定データ５８ｂを記憶する。硬貨在高データ５８ａは、硬貨処理ユニット５０に収納されている硬貨の金種別の在高を示すデータである。動作設定データ５８ｂは、ダミー貨幣のコードと、各種動作とを対応付けたデータである。
【００５７】
硬貨釣銭制御部５９は、硬貨処理ユニット５０を制御する制御部であり、入金処理部５９ｂ、出金処理部５９ｃ、ダミー貨幣処理部５９ｄ及び動作制御部５９ｅを有する。
【００５８】
入金処理部５９ｂは、硬貨の入金処理を行う処理部である。入金処理部５９ｂは、ＰＯＳレジ２０から購入金額を受信した場合に、硬貨処理ユニット５０に対する硬貨の投入を許可する。
【００５９】
その後、入金処理部５９ｂは、硬貨処理ユニット５０に投入された硬貨の金種別の枚数を取得し、投入された硬貨の合計金額を算定し、ＰＯＳレジ２０に通知を送信する。
【００６０】
出金処理部５９ｃは、硬貨の出金処理を行う処理部である。具体的には、出金処理部５９ｃは、ＰＯＳレジ２０から釣銭の出金指示を受けた場合に、釣銭の金額に応じて払い出すべき金種と枚数を決定し、硬貨の出金処理を行う。そして、釣銭の出金が正常に終了した場合には、ＰＯＳレジ２０に通知する。
【００６１】
ダミー貨幣処理部５９ｄは、硬貨のダミー貨幣、すなわちダミー硬貨に係る処理を行う処理部である。硬貨処理ユニット５０は、硬貨識別部５２ａを有しており、投入された硬貨の金種、真偽、正損、表裏、搬送状態等を識別可能であり、さらにダミー硬貨の識別が可能である。そして、ダミー硬貨については、コードの判別に使用可能なデータが識別結果として出力される。
【００６２】
コードの判別に使用可能なデータとしては、例えばダミー硬貨を撮像した画像データを用いることができる。画像データを用いる場合には、ダミー貨幣処理部５９ｄは、画像処理によってダミー硬貨のコードを判別することになる。また、ダミー硬貨の磁気特性、重量、サイズ、形状などをコードの判別に使用することも可能である。また、ダミー硬貨にタグを内蔵させ、タグからコードを読み出す構成としてもよい。
【００６３】
ダミー貨幣処理部５９ｄは、ダミー硬貨が投入された場合には、投入されたダミー硬貨を返却させるとともに、硬貨識別部５２ａによる識別結果を用いてコードを判別し、判別したコードに対応する動作を動作設定データ５８ｂから読み出す。
【００６４】
動作制御部５９ｅは、ダミー貨幣処理部５９ｄにより読み出された動作を実行する処理部である。この動作としては、設定変更や所定の操作画面への遷移などを用いることができる。
【００６５】
表示操作部５６は、例えば液晶タッチパネルディスプレイ等であり、釣銭機３０に収納された貨幣（硬貨処理ユニット５０に収納された硬貨と、紙幣処理ユニットに収納された紙幣）の金種別在高の表示など、釣銭機３０に係る表示を行うとともに、釣銭機３０に係る操作の受付を行う。
【００６６】
例えば、読み出された動作が硬貨処理ユニット５０の設定変更である場合には、動作制御部５９ｅは、硬貨処理ユニット５０の設定を変更する動作を実行する。具体的には、残置金額の設定変更、ニアフルの設定変更、ニアエンプティの設定変更、表示操作部５６における文字サイズや明るさの設定変更などを行うことができる。このように、ダミー硬貨を用いて設定変更を行えば、操作者は、例えば残置金額の値の入力等の操作を行うことなく、予め指定された値で簡易に設定変更を行うことができ、操作ミスなどにより不適切な設定が行われる自体を防止できる。また、設定を終了するまでに多くの操作を行う必要もなくなるため、迅速に設定変更を行うことが出来る。
【００６７】
また、読み出された動作が所定の操作画面への遷移であれば、動作制御部５９ｅは、表示操作部５６に指定された操作画面を表示制御する。このように、ダミー硬貨を用いて操作画面の遷移を行えば、操作者は、メイン画面からメニューを辿るなどの煩雑な操作を行うことなく、所望の操作画面に至ることができる。また、必要な権限が設定された操作に対応する操作画面であっても、ダミー硬貨を用いた場合には表示制御を行うこととすれば、ダミー硬貨は操作の権限を示す鍵として機能する。ダミー硬貨に対応する動作は柔軟かつ詳細に設定でき、また、ダミー硬貨の貸与自体を管理することで一時的に付与すべき権限の管理が可能となるため、権限の管理の効率化が実現される。
【００６８】
ダミー貨幣に対応付ける動作は、設定変更や所定の操作画面への遷移に限定されない。例えば、収納した貨幣の回収、精査、エラー発生時のユニット開閉などの処理を実行することも可能である。また紙幣処理ユニット４０や硬貨処理ユニット５０に限らず、ＰＯＳレジ２０に動作を行わせることもできる。
【００６９】
次に、紙幣処理ユニット４０及び硬貨処理ユニット５０の詳細について説明する。図４は、紙幣処理ユニット４０の構成を示す構成図である。図４に示すように、紙幣処理ユニット４０は、紙幣受入部４１と、紙幣払出部４２と、出金リジェクト部４３と、カセット装着部４４と、周回搬送部４５と、紙幣識別部４６と、金種別の紙幣収納部４７とを有する。
【００７０】
紙幣受入部４１は、紙幣挿入口４１ａに対する紙幣の投入を受け付け、１枚ずつ周回搬送部４５に繰り出す処理部である。紙幣払出部４２は、周回搬送部４５から１枚ずつ搬送された紙幣を一時的に貯留し、払い出すべき全ての紙幣が揃った場合に紙幣払出口４２ａから投出することで紙幣を払い出す処理部である。
【００７１】
出金リジェクト部４３は、金種が識別できない等、出金に適さない紙幣を内部に集積する。例えば、出金処理時において紙幣収納部４７から繰り出された紙幣のうち、重送や斜行等の搬送異常により紙幣識別部４６で識別することができなかった紙幣は出金リジェクト部４３に搬送される。なお、紙幣受入部４１から取り込まれた紙幣のうち、入金処理時において汚損等により紙幣識別部４６で識別することができなかった紙幣は、入金リジェクト紙幣として紙幣払出部４２に返却される。また、ダミー紙幣の返却も紙幣払出部４２への搬送により行われる。
【００７２】
カセット装着部４４は、売上金の回収や釣銭の補充に用いる紙幣カセット６０を着脱可能である。
【００７３】
複数の紙幣収納部４７は、それぞれ対応する金種が設定されており、設定された金種の紙幣を収納するとともに、収納されている紙幣を１枚ずつ繰出可能である。
【００７４】
周回搬送部４５は、中央に周回搬送路を有しており、紙幣受入部４１、紙幣払出部４２、出金リジェクト部４３、カセット装着部４４及び複数の紙幣収納部４７と周回搬送路との間には接続搬送路が設けられている。また、周回搬送路には、紙幣の金種、真偽、正損、表裏、搬送状態等の識別を行う紙幣識別部４６が設けられている。既に説明したように、紙幣識別部４６は、ダミー紙幣の識別が可能であり、ダミー紙幣については、コードの判別に使用可能なデータを識別結果として出力する。
【００７５】
周回搬送部４５は、図４における時計回りの方向及び反時計回りの方向に周回搬送路を回転駆動することで、紙幣を１枚ずつ搬送することができる。具体的には、紙幣を紙幣収納部４７に収納する場合には、周回搬送路を図４における時計回りに回転駆動し、紙幣を紙幣収納部４７から繰り出す場合には、周回搬送路を図４における反時計回りに回転駆動することになる。この回転駆動の制御に加え、周回搬送路と各接続搬送部との間で紙幣の搬送経路を切り換えることで、周回搬送部４５は、紙幣の搬送先を制御する。
【００７６】
図５は、硬貨処理ユニット５０の構成を示す構成図である。図５に示すように、硬貨処理ユニット５０は、硬貨投入口５１、入金硬貨搬送部５２、金種別の硬貨収納部５３、出金硬貨搬送部５４及び硬貨払出口５５を有する。また、入金硬貨搬送部５２には硬貨識別部５２ａが設けられている。
【００７７】
入金硬貨搬送部５２は、硬貨投入口５１に投入された硬貨を１層１列状態で１枚ずつ筐体内に取り込む。具体的には、入金硬貨搬送部５２には繰出ベルト等からなる硬貨繰出機構が設けられており、硬貨投入口５１に対する硬貨の投入を検知すると、硬貨繰出機構が駆動されることにより硬貨が１枚ずつ繰り出される。
【００７８】
硬貨識別部５２ａは、入金硬貨搬送部５２に繰り出された硬貨の金種、真偽、正損、表裏、搬送状態等の識別を行う。また、既に説明したように、入金硬貨搬送部５２は、ダミー硬貨の識別が可能であり、ダミー硬貨については、コードの判別に使用可能なデータを識別結果として出力する。入金硬貨搬送部５２は、硬貨識別部５２ａの識別結果に基づいて、硬貨の搬送先を決定する。このとき、真正と識別できない、汚損があるなど、硬貨収納部５３での収納に適さない硬貨は、リジェクト硬貨として硬貨払出口５５が搬送先となる。同様に、ダミー硬貨を返却する際にも、硬貨払出口５５が搬送先となる。硬貨収納部５３での収納に適する硬貨であれば、金種の識別結果に対応する硬貨収納部５３が搬送先となる。
【００７９】
複数の硬貨収納部５３は、それぞれ対応する金種が設定されており、設定された金種の紙幣を収納するとともに、収納されている硬貨を１枚ずつ出金硬貨搬送部５４に繰り出することができる。出金硬貨搬送部５４は、硬貨収納部５３から繰り出された硬貨を搬送して硬貨払出口５５に投出する。
【００８０】
次に、図３に示した硬貨記憶部５８や紙幣記憶部４８が記憶するデータの具体例について説明する。図６は、図３に示した動作設定データの具体例を示す図である。図６に示した動作設定データは、ダミー貨幣のコードに対し、権限、残置金額、ニアフル、ニアエンプティ、文字サイズ、初期画面、権限外処理などを対応付けたデータである。
【００８１】
具体的には、動作設定データは、ダミー貨幣のコード「Ｄ００１」に対し、権限「管理者」、残置金額「３００００」、ニアフル「２３０」、ニアエンプティ「１５」、文字サイズ「−」、初期画面「−」、権限外処理「−」を対応付けている。従って、釣銭機３０がコード「Ｄ００１」のダミー貨幣を受け付けた場合には、権限「管理者」の操作者であると認識し、残置金額を「３００００」に設定し、ニアフルを「２３０」に設定し、ニアエンプティを「１５」に設定することになる。なお、「−」は該当項目についての設定が無い状態を示す。
【００８２】
また、動作設定データは、ダミー貨幣のコード「Ｄ００２」に対し、権限「管理者」、残置金額「５００００」、ニアフル「２５０」、ニアエンプティ「２０」、文字サイズ「−」、初期画面「−」、権限外処理「−」を対応付けている。同様に、動作設定データは、ダミー貨幣のコード「Ｄ００３」に対し、権限「管理者」、残置金額「１００００」、ニアフル「２８０」、ニアエンプティ「１０」、文字サイズ「−」、初期画面「−」、権限外処理「−」を対応付けている。
【００８３】
また、動作設定データは、ダミー貨幣のコード「Ｄ００４」に対し、権限「レジ担当Ａ」、残置金額「−」、ニアフル「−」、ニアエンプティ「−」、文字サイズ「大」、初期画面「機内在高」、権限外処理「回収」を対応付けている。従って、釣銭機３０がコード「Ｄ００４」のダミー貨幣を受け付けた場合には、権限「レジ担当Ａ」の操作者であると認識し、文字サイズを「大」に設定し、機内在高の画面を表示操作部５６に表示制御する。さらに、釣銭機３０がコード「Ｄ００４」のダミー貨幣を受け付けた場合には、貨幣の回収処理の実行を許可する。
【００８４】
また、動作設定データは、ダミー貨幣のコード「Ｄ００５」に対し、権限「レジ担当Ｂ」、残置金額「−」、ニアフル「−」、ニアエンプティ「−」、文字サイズ「中」、初期画面「補充金種」を対応付けている。従って、釣銭機３０がコード「Ｄ００５」のダミー貨幣を受け付けた場合には、権限「レジ担当Ｂ」の操作者であると認識し、文字サイズを「中」に設定し、補充金種を示す画面を表示操作部５６に表示制御する。
【００８５】
なお、上記動作設定データの組み合わせはあくまで一例であり、個々の組み合わせの種類や内容はこれに限らず他の組み合わせの種類や内容であってもいい。
【００８６】
＜釣銭機の動作＞
次に、釣銭機３０の動作について説明する。図７は、釣銭機３０がダミー貨幣に係る処理を行う場合の処理手順を示すフローチャートである。まず、釣銭機３０の紙幣処理ユニット４０又は硬貨処理ユニット５０がダミー貨幣を受け付けると（ステップＳ１０１）、識別部がコードの判別に使用可能なデータを識別結果として出力し、この識別結果を用いてダミー貨幣処理部４９ｄ又はダミー貨幣処理部５９ｄがダミー貨幣のコードを判別する（ステップＳ１０２）。
【００８７】
ダミー貨幣処理部４９ｄ又はダミー貨幣処理部５９ｄは、投入されたダミー貨幣を返却させ（ステップＳ１０３）、判別したコードに対応する動作を動作設定データから読み出す。動作制御部４９ｅ又は動作制御部５９ｅは、ダミー貨幣処理部４９ｄ又はダミー貨幣処理部５９ｄにより読み出された動作内容に基づいて、表示操作部５６への表示を行う（ステップＳ１０４）。操作者が表示を確認し、実行操作を行ったならば（ステップＳ１０５；Ｙｅｓ）、動作制御部４９ｅ又は動作制御部５９ｅは、ダミー貨幣処理部４９ｄ又はダミー貨幣処理部５９ｄにより読み出された動作を実行し（ステップＳ１０６）、処理を終了する。一方、操作者が実行操作を行わなければ（ステップＳ１０５；Ｎｏ）、そのまま処理を終了する。
【００８８】
図７に示したステップＳ１０４では、例えば、設定変更の内容や、回収などの実行可能な処理の内容が示され、操作者の実行操作を受け付けて動作を実行することになる。なお、ダミー貨幣に対応付けられた動作が所定の操作画面への遷移のみである場合には、ステップＳ１０４で実行すべき動作が完了しているので、ステップＳ１０５及びステップＳ１０６を省略して処理を終了する。
【００８９】
図８は、表示操作部５６に表示制御する操作画面の具体例である。図８（ａ）に示す機内在高画面では、紙幣処理ユニット４０及び硬貨処理ユニット５０に収納された各金種の貨幣の枚数を在高として表示するとともに、出金リジェクトの発生件数、紙幣カセット６０に収納された紙幣の枚数、紙幣処理ユニット４０及び硬貨処理ユニット５０の状態が表示される。
【００９０】
具体的には、図８（ａ）は、１００００円紙幣の在高が「０」、５０００円紙幣の在高が「２」、１０００円紙幣の在高が「１２」、５００円硬貨の在高が「６」、１００円硬貨の在高が「４４」、５０円硬貨の在高が「５」、１０円硬貨の在高が「３２」、５円硬貨の在高が「４」、１円硬貨の在高が「９」であり、出金リジェクトの発生件数が「０件」であり、紙幣カセット６０に収納された紙幣の枚数が「０枚」であり、紙幣処理ユニット４０の状態が「待機中」であり、硬貨処理ユニット５０の状態「待機中」である状態を示している。
【００９１】
図８（ｂ）に示す補充金種画面では、補充が可能な金種と補充方法が表示される。具体的には、５００円硬貨、５０円硬貨及び１０円硬貨について、棒金からの補充が可能な状態を示している。
【００９２】
ダミー貨幣のコードを判別して図８に示したような操作画面に直接遷移することで、操作者は所望の操作画面を速やかに表示し、必要な情報の確認や、実行すべき操作入力や作業を効率的に行うことができる。
【００９３】
図９は、画像認識によるコードの表示例を示す図である。画像認識によりコードの判別を行う場合には、図９に示すように、ダミー紙幣やダミー硬貨の所定位置に例えば黒色のバーを付し、バーの配置や形状をコードごとに異ならせる。また、紙幣処理ユニット４０及び硬貨処理ユニット５０の識別部にカメラを配置する。そして、カメラによってダミー貨幣を撮像して生成した画像データに対して画像処理を行い、バーの配置や形状を識別すれば、ダミー貨幣のコードを識別することができる。
【００９４】
なお、ここでは識別部にカメラを配置する構成を例示したが、識別部とは別にカメラを配置してもよいし、識別部に画像取得可能な画像認識センサを組み込む構成としてもよい。
【００９５】
また、ダミー硬貨の素材は、金属に限らず、樹脂であってもよい。また、バーはシールを貼り付けることで付すことも可能である。さらに、バーを全て白色としておき、利用者（例えば店舗の管理者）がバーを塗りつぶして任意のコードに対応する配置とすることができるようにしてもよい。
【００９６】
＜変形例＞
次に、ダミー貨幣の利用に係る変形例について説明する。これまでの説明では、釣銭機３０が動作設定データを記憶する構成を例示して説明を行ったが、動作設定データは釣銭機３０以外が保持する構成とすることができる。
【００９７】
図１０は、ダミー貨幣自体が動作設定データを保持する構成についての説明図である。図１０に示した構成では、ダミー貨幣が残置金額「５００００」を示す動作設定データを保持している。
【００９８】
このため、釣銭機３０にダミー貨幣を投入すると（Ｓ１１）、釣銭機３０はダミー貨幣から動作設定データを読み取り（Ｓ１２）、ダミー貨幣を返却する（Ｓ１３）。そして、読み取った動作設定データに示された動作を実行する（Ｓ１４）。具体的には、図１０では、釣銭機３０は、残置金額の設定値を「１００００」から「５００００」に変更する動作を実行することになる。
【００９９】
ダミー貨幣が動作設定データを保持する場合には、ＩＣタグなどに記憶させる構成であってもよいし、画像認識で読み取り可能に構成してもよい。画像認識で読み取り可能な構成としては、例えば文字等を表面に付す構成や、バーの配置や形状による符号を表面に付す構成などを用いるこができる。
【０１００】
図１１は、動作設定データをＰＯＳレジ２０が保持する構成についての説明図である。この構成では、釣銭機３０にコード「Ｄ００２」のダミー貨幣を投入すると（Ｓ２１）、釣銭機３０はダミー貨幣を識別し（Ｓ２２）、収納部に収納することなくダミー貨幣を返却する（Ｓ２３）。そして、ダミー貨幣の識別結果として得られたコードをＰＯＳレジ２０に送信することで問い合せを行う（Ｓ２４）。
【０１０１】
ＰＯＳレジ２０は、釣銭機３０から問い合せを受けたならば、ＰＯＳレジ２０内に予め記憶されている動作設定データを参照してコードに対応付けられた動作を読み出し、釣銭機３０に対して動作指示を送信する（Ｓ２５）。釣銭機３０は、ＰＯＳレジ２０から受けた動作指示に従うことで、受け付けたダミー貨幣に対応する動作を実行することができる（Ｓ２６）。
【０１０２】
図１１では、釣銭機３０は、ダミー貨幣から判別したコード「Ｄ００２」をＰＯＳレジ２０に送信することで問い合せを行い、ＰＯＳレジ２０から残置金額の設定値を「５００００」に変更する動作指示を受けることになる。
【０１０３】
図１２は、釣銭機３０と接続された店舗サーバ１００が動作設定データを保持する構成についての説明図である。図１２に示した構成では、複数の釣銭機３０が店舗サーバ１００に接続され、店舗サーバ１００が動作設定データを保持している。そのため、釣銭機３０は、ダミー貨幣を受け付けた場合にコードを判別し、店舗サーバ１００に送信することで問い合せを行い、店舗サーバ１００から動作指示を受けることでダミー貨幣に対応する動作を実行することになる。
【０１０４】
かかる構成では、店舗内の複数の釣銭機３０が同一の動作設定データに基づいて動作することができるため、ダミー貨幣に係る動作を効率的に管理することができる。
【０１０５】
図１３は、ＰＯＳレジ２０と所定のネットワークを介して接続される管理センタ１１０が動作設定データを保持する構成についての説明図である。図１３に示した構成では、複数のＰＯＳレジ２０がそれぞれ釣銭機３０と接続されるとともに、所定のネットワークを介して管理センタ１１０と接続される。そして、管理センタ１１０が、動作設定データを保持している。そのため、釣銭機３０は、ダミー貨幣を受け付けた場合にコードを判別し、ＰＯＳレジ２０経由で管理センタ１１０に問い合せを行い、管理センタ１１０からＰＯＳレジ２０経由で動作指示を受けてダミー貨幣に対応する動作を実行することになる。
【０１０６】
かかる構成では、複数の店舗に設置された釣銭機３０が同一の動作設定データに基づいて動作することができるため、ダミー貨幣に係る動作を効率的に管理することができる。
【０１０７】
上述してきたように、本実施例によれば、紙幣処理ユニット４０や硬貨処理ユニット５０により貨幣等の有価媒体を取り込む釣銭機３０は、所定の疑似有価媒体であるダミー貨幣が取り込まれたことを条件として、ダミー貨幣に対応付けられた装置の運用に関する特定の動作を実行するので、操作者の負荷を軽減しつつ、柔軟に運用設定を行うことができる。
【０１０８】
具体的には、釣銭機３０は、特定の動作内容に関する情報を動作設定データとして記憶し、ダミー貨幣処理部４９ｄ又はダミー貨幣処理部５９ｄがダミー貨幣の種別を判別し、動作制御部４９ｅ又は動作制御部５９ｅがダミー貨幣処理部４９ｄ又はダミー貨幣処理部５９ｄによる判別結果に基づいて動作設定データに示された動作を実行することで、ダミー貨幣に対応付けられた装置の運用に関する特定の動作を実行する。
【０１０９】
なお、ダミー貨幣の種別の判別には、例えばダミー貨幣を撮像した画像データを用いることができる。また、ダミー紙幣を用いる場合には、ダミー紙幣を透過した光量やダミー貨幣で反射した光量をフォトセンサにより計測し、その出力をコードの判別に使用することも可能である。同様に、硬貨のダミー貨幣、すなわちダミー硬貨を用いる場合には、ダミー硬貨の磁気特性、重量、サイズ、形状などをコードの判別に使用することも可能である。
【０１１０】
また、種別などの判別が行われたダミー貨幣は、装置外部に排出することで、装置内部に通常の貨幣を混ざって収納される事態を防止する。
【０１１１】
なお、動作設定データは、釣銭機３０に限らず、他の装置が記憶する構成とすることも可能である。また、動作設定データを装置が記憶する構成に限らず、ダミー貨幣自体に運用に関する特定の動作内容を記憶させてもよい。かかる構成では、貨幣の金種などを識別する識別部をダミー貨幣に記憶された運用に関する特定の動作内容を読み取る読取部として動作させ、識別部により読み取られた特定の動作内容に係る情報に対応する動作を実行させればよい。
【０１１２】
ダミー貨幣に対応付ける特定の動作としては、釣銭機３０の設定変更、釣銭機３０を操作する操作者の権限に応じてあらかじめ定められた動作などを指定することができる。また、釣銭機３０に限らず、ＰＯＳレジ２０の特定の動作を対応付けることも可能である。かかる構成では、釣銭機３０は、所定のダミー貨幣が取り込まれたことを条件として、該ダミー貨幣に対応付けられた運用に関する特定の動作をＰＯＳレジ２０に実行するよう通知する通知部を有することになる。
【０１１３】
なお、本実施例では、硬貨処理ユニット５０と紙幣処理ユニット４０にそれぞれ制御部を設け、ダミー貨幣に係る処理を双方の装置で実行可能な構成を例示したが、硬貨処理ユニット５０と紙幣処理ユニット４０のダミー貨幣に係る処理を統合的に行う上位制御部を設ける構成としてもよい。上位制御部は、硬貨処理ユニット５０及び紙幣処理ユニット４０と接続される制御装置として配置してもよいし、硬貨処理ユニット５０又は紙幣処理ユニット４０の制御部に上位制御部としての機能を持たせてもよい。
【０１１４】
また、本実施例では、紙幣処理ユニット４０に紙幣記憶部４８を設け、硬貨処理ユニット５０に硬貨記憶部５８を設けて、紙幣記憶部４８と硬貨処理ユニット５０にそれぞれ動作設定データ４８ｂ、５８ｂを記憶させる構成を例に説明を行ったが、本発明はかかる構成に限定されるものではない。例えば、紙幣処理ユニット４０と硬貨処理ユニット５０とで共用する記憶部を設ける構成であってもよい。共用の記憶部は、硬貨処理ユニット５０又は紙幣処理ユニット４０のいずれかに設けてもよいし、硬貨処理ユニット５０及び紙幣処理ユニット４０と接続される制御装置に設けてもよい。
【０１１５】
また、本実施例では、硬貨処理ユニット５０をＰＯＳレジ２０と通信接続し、紙幣処理ユニット４０は硬貨処理ユニット５０を介してＰＯＳレジ２０と通信する構成を例に説明を行ったが、本発明はかかる構成に限定されるものではない。例えば、紙幣処理ユニット４０をＰＯＳレジ２０と通信接続し、硬貨処理ユニット５０は紙幣処理ユニット４０を介してＰＯＳレジ２０と通信する構成であってもよい。また、硬貨処理ユニット５０と紙幣処理ユニット４０のそれぞれをＰＯＳレジ２０と通信接続し、ＰＯＳレジ２０と直接通信可能となるよう構成してもよい。
【０１１６】
また、本実施例では、貨幣を取り扱う装置である釣銭機３０がダミー貨幣を取り込んだ場合に特定の動作を実行する構成を例に説明を行ったが、商品券などの有価媒体を取り扱う有価媒体処理機が、疑似有価媒体を取り込んだ場合に特定の動作を実行するように構成してもよい。
【０１１７】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１１８】
本発明の有価媒体処理機、有価媒体処理システム及び有価媒体処理方法は、操作者の負荷を軽減しつつ、柔軟に運用設定を行うことに有用である。
【符号の説明】
【０１１９】
２０  ＰＯＳレジ
２１ａ、２１ｂ  表示部
２１ｃ  操作部
２２  バーコードリーダ
２３  カードリーダ
２４  印字部
２５、４９ａ、５９ａ  通信部
２６  ＰＯＳ制御部
２６ａ  購入商品登録部
２６ｂ  購入金額算定部
２６ｃ  決済処理部
３０  釣銭機
４０  紙幣処理ユニット
４１  紙幣受入部
４１ａ  紙幣挿入口
４２  紙幣払出部
４２ａ  紙幣払出口
４３  出金リジェクト部
４４  カセット装着部
４５  周回搬送部
４６  紙幣識別部
４７  紙幣収納部
４８  紙幣記憶部
４８ａ  紙幣在高データ
４８ｂ、５８ｂ  動作設定データ
４９  紙幣釣銭制御部
４９ｂ、５９ｂ  入金処理部
４９ｃ、５９ｃ  出金処理部
４９ｄ、５９ｄ  ダミー貨幣処理部
４９ｅ、５９ｅ  動作制御部
５０  硬貨処理ユニット
５１  硬貨投入口
５２  入金硬貨搬送部
５２ａ  硬貨識別部
５３  硬貨収納部
５４  出金硬貨搬送部
５５  硬貨払出口
５６  表示操作部
５８  硬貨記憶部
５８ａ  硬貨在高データ
５９  硬貨釣銭制御部
６０  紙幣カセット
１００  店舗サーバ
１１０  管理センタ
【図１】
2019056947.tif 000003
【図２】
2019056947.tif 000004
【図３】
2019056947.tif 000005
【図４】
2019056947.tif 000006
【図５】
2019056947.tif 000007
【図６】
2019056947.tif 000008
【図７】
2019056947.tif 000009
【図８】
2019056947.tif 000010
【図９】
2019056947.tif 000011
【図１０】
2019056947.tif 000012
【図１１】
2019056947.tif 000013
【図１２】
2019056947.tif 000014
【図１３】
2019056947.tif 000015